(57)【要約】【課題】演算処理回路における消費電流が変化しても、演算処理回路への入力電圧の変化を抑制することができる画像処理装置を提供する。【解決手段】画像処理を実行する演算処理回路である画像処理回路８を有し、画像処理回路８において消費電流が異なる複数種類のジョブＡ〜Ｅを実行する画像処理装置１であって、画像処理回路８の電源となる出力電圧を出力する電源回路９と、ジョブに応じた出力電圧が設定された電圧設定テーブル７２と、ジョブの実行時に、電圧設定テーブル７２によって出力電圧を特定し、特定した出力電圧の出力を電源回路９に指示する電源制御部７１とを備えている。【選択図】図３
2018075721.tif 000002
【特許請求の範囲】
【請求項１】
画像処理を実行する演算処理回路を有し、当該演算処理回路において消費電流が異なる複数種類のジョブを実行する画像処理装置であって、
前記演算処理回路の電源となる出力電圧を出力する電源回路と、
前記ジョブに応じた前記出力電圧が設定された電圧設定テーブルと、
前記ジョブのジョブ実行時に、前記電圧設定テーブルによって前記出力電圧を特定し、特定した前記出力電圧の出力を前記電源回路に指示する電源制御部と、具備することを特徴とする画像処理装置。
【請求項２】
前記電圧設定テーブルに設定された前記出力電圧は、前記ジョブ実行時の前記演算処理回路における消費電流の変化に応じて、電源ラインの抵抗成分に起因する電圧降下が変化しても、前記演算処理回路への入力電圧の変化を抑制する値に設定されていることを特徴とする請求項１記載の画像処理装置。
【請求項３】
前記電源回路から前記演算処理回路への電源供給を遮断する電源遮断回路を具備し、
前記電圧設定テーブルに設定された前記出力電圧は、前記ジョブ実行時の前記演算処理回路における消費電流の変化に応じて、前記電源遮断回路の抵抗成分に起因する電圧降下が変化しても、前記演算処理回路への入力電圧の変化を抑制する値に設定されていることを特徴とする請求項２記載の画像処理装置。
【請求項４】
前記電圧設定テーブルには、ジョブ開始時の前記出力電圧が設定されており、
前記電源制御部は、前記ジョブ開始時に、前記電圧設定テーブルによって前記出力電圧を特定し、特定した前記出力電圧の出力を前記電源回路に指示することを特徴とする請求項１乃至３のいずれかに記載の画像処理装置。
【請求項５】
前記電圧設定テーブルに設定されたジョブ開始時の前記出力電圧は、突入電量に起因して電圧降下が変化しても、前記演算処理回路への入力電圧の変化を抑制する値に設定されていることを特徴とする請求項４記載の画像処理装置。
【請求項６】
前記演算処理回路への入力電圧を検出する電圧検出回路と、
前記ジョブ実行時に前記電圧検出回路によって検出された前記入力電圧に基づいて、前記電圧設定テーブルに設定された前記出力電圧を補正するテーブル補正部と、を具備することを特徴とする請求項１乃至５のいずれかに記載の画像処理装置。
【発明の詳細な説明】
【技術分野】
【０００１】
本発明は、演算処理回路である画像処理回路において、消費電流が異なる複数種類のジョブを実行する画像処理装置に関する。
【背景技術】
【０００２】
省エネモードへの切り替え等において、電源効率の改善のため電源電圧を切り替える内容やその切り替えの調整方法が提案されている（例えば、特許文献１乃至４参照）。
【先行技術文献】
【特許文献】
【０００３】
【特許文献１】特開２００８−２６８３２６号公報
【特許文献２】特開２０１１−１９１５１９号公報
【特許文献３】特開２０１４−１４７２５９号公報
【特許文献４】特開２０１５−１００２１０号公報
【発明の概要】
【発明が解決しようとする課題】
【０００４】
しかしながら、従来技術では、負荷変動による電圧の変化に対しては電源回路へのフィードバックにて補正される機能があるが、消費電流の変化に起因する演算処理回路への入力電圧に低下について考慮されていない。画像処理装置の演算処理回路では、通常動作時の消費電流と、画像処理の負荷が大きいときでは消費電流が大きく変化する場合がある。演算処理回路の消費電流が急激に増加すると、配線の抵抗成分による電圧降下によって演算処理回路への入力電圧に低下し、最悪の場合動作不良を引き起こしてしまうという問題点があった。
【０００５】
例えば、図６に示すように、電源回路の出力電圧：Ｖｏに対し、演算処理回路への入力電圧は、配線の抵抗成分による電圧降下によって低下する。そして、時刻ｔ０で演算処理回路の消費電流が急激に増加すると、電圧降下分が大きくなり、演算処理回路への入力電圧がさらに低くなる。特に省エネ対応による電源遮断のため、半導体素子等の電源遮断回路で電源回路を分離している場合は、大電流が流れると遮断回路の抵抗により、さらに演算処理回路への入力電圧が降下してしまう。なお、電源回路の出力電圧を予め高めに設定しておくと、低負荷状態で電圧降下が小さいときには、演算処理回路の電源規定をオーバーしてしまうことも考えられる。
【０００６】
本発明は、上記問題点を鑑みてなされたものであり、その目的とするところは、演算処理回路における消費電流が変化しても、演算処理回路への入力電圧の変化を抑制することができる画像処理装置を提供することを目的とする。
【課題を解決するための手段】
【０００７】
本発明の画像処理装置は、画像処理を実行する演算処理回路を有し、当該演算処理回路において消費電流が異なる複数種類のジョブを実行する画像処理装置であって、前記演算処理回路の電源となる出力電圧を出力する電源回路と、前記ジョブに応じた前記出力電圧が設定された電圧設定テーブルと、前記ジョブのジョブ実行時に、前記電圧設定テーブルによって前記出力電圧を特定し、特定した前記出力電圧の出力を前記電源回路に指示する電源制御部と、具備することを特徴とする。
さらに、本発明の画像処理装置において、前記電圧設定テーブルに設定された前記出力電圧は、前記ジョブ実行時の前記演算処理回路における消費電流の変化に応じて、電源ラインの抵抗成分に起因する電圧降下が変化しても、前記演算処理回路への入力電圧の変化を抑制する値に設定されていても良い。
さらに、本発明の画像処理装置において、前記電源回路から前記演算処理回路への電源供給を遮断する電源遮断回路を具備し、前記電圧設定テーブルに設定された前記出力電圧は、前記ジョブ実行時の前記演算処理回路における消費電流の変化に応じて、前記電源遮断回路の抵抗成分に起因する電圧降下が変化しても、前記演算処理回路への入力電圧の変化を抑制する値に設定されていても良い。
さらに、本発明の画像処理装置において、前記電圧設定テーブルには、ジョブ開始時の前記出力電圧が設定されており、前記電源制御部は、前記ジョブ開始時に、前記電圧設定テーブルによって前記出力電圧を特定し、特定した前記出力電圧の出力を前記電源回路に指示しても良い。
さらに、本発明の画像処理装置において、前記電圧設定テーブルに設定されたジョブ開始時の前記出力電圧は、突入電量に起因して電圧降下が変化しても、前記演算処理回路への入力電圧の変化を抑制する値に設定されていても良い。
さらに、本発明の画像処理装置において、前記演算処理回路への入力電圧を検出する電圧検出回路と、前記ジョブ実行時に前記電圧検出回路によって検出された前記入力電圧に基づいて、前記電圧設定テーブルに設定された前記出力電圧を補正するテーブル補正部と、を具備していても良い。
【発明の効果】
【０００８】
本発明によれば、演算処理回路における消費電流が異なるジョブに応じて、電源回路から演算処理回路に出力する出力電圧を設定することができ、演算処理回路における消費電流が変化しても、演算処理回路への入力電圧の変化を抑制することができるという効果を奏する。
【図面の簡単な説明】
【０００９】
【図１】本発明に係る画像処理装置の第１の実施の形態の概略構成を示すブロック図である。
【図２】図１に示す電圧設定テーブル例を示すブロック図である。
【図３】図１に示す電源制御部の動作を説明するための要部のブロック図である。
【図４】図１に示す電源制御部による出力電圧の制御例を示す波形図である。
【図５】本発明に係る画像処理装置の第２の実施の形態の概略構成を示すブロック図である。
【図６】従来の出力電圧の制御例を示す波形図である。
【発明を実施するための形態】
【００１０】
以下、図を参照して本発明の実施の形態を詳細に説明する。なお、以下の実施形態において、同様の機能を示す構成には、同一の符号を付してある。
【００１１】
（第１の実施の形態）
第１の実施の形態は、複写機等の画像処理装置１であり、図１を参照すると、原稿読取部２と、原稿給送部３と、記録部４と、操作部５と、通信部６を備えている。なお、図１において、実線は信号ラインを示し、点線は電源ラインを示している。
【００１２】
原稿読取部２は、露光ランプ及びＣＣＤ(Charge Coupled Device)センサー等から構成されたスキャナーを備えている。原稿読取部２はプラテンガラスに載置された原稿や原稿給送部３によって給送される原稿を読み取って画像データを取得し、取得した画像データを記録部４に出力する。
【００１３】
記録部４は、例えば、感光体ドラムと、帯電部、露光部と、現像部と、転写部と、クリーニング部と、定着部とからなる画像形成部を備え、形成した画像を記録紙に記録する。
【００１４】
操作部５は、画像処理装置１の設定や動作指示を行う各種操作キーやタッチパネル等で構成されている。
【００１５】
通信部６は、ＬＡＮ等のネットワークを介して、パーソナルコンピュータ等の周辺機器や、他の画像形成装置との間で各種データを送受信する機能を有する。また、通信部６は、ネットワーク及びルーターを介してインターネットに接続可能に構成されている。そして通信部６は、インターネットに接続されている各種通信機器との間で各種データを送受信する機能を有する。
【００１６】
図１を参照すると、原稿読取部２、原稿給送部３と、記録部４、操作部５、通信部６は、制御部７に接続され、制御部７によって動作制御される。また、制御部７には、画像処理回路８と、電源回路９と、電源遮断回路１０とが接続され、画像処理回路８には、記憶部１２が接続されている。
【００１７】
記憶部１２は、半導体メモリーやＨＤＤ（Hard Disk Drive）等の記憶手段であり、画像処理用のメモリーとして使用される。
【００１８】
画像処理回路８は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１９】
電源回路９は、交流電源から画像処理装置１の各部に供給する電源を生成する公知のスイッチングレギュレーター等の電源回路である。
【００２０】
電源遮断回路１０は、省エネモードにおいて、電源回路９から画像処理回路８への電源供給を遮断する回路である。電源遮断回路１０は、ＦＥＴ（Field effect transistor）等の半導体素子で構成されている。
【００２１】
制御部７は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像処理装置１の動作制御を行うための制御プログラムが記憶されている。制御部７は、ＲＯＭに記憶されている制御プログラムを読み出し、制御プログラムをＲＡＭに展開させることで、操作部５から入力された各種指示情報に応じて装置全体の制御を行う。また、制御部７は、電源回路９から画像処理回路８への電源供給を制御する電源制御部７１として機能すると共に、画像処理回路８で実行するジョブの種類ごとの出力電圧が設定された電圧設定テーブル７２を備えている。
【００２２】
図２を参照すると、電圧設定テーブル７２において各ジョブは、想定される想定電流量毎に分類され、想定電流量毎に出力電圧が設定されている。本実施の形態では、画像処理回路８においてジョブＡ〜Ｅが実行され、ジョブＡ、Ｂ、Ｃが想定電流量：小に、ジョブＤが想定電流量：中に、ジョブＥが想定電流量：大にそれぞれ分類される。
【００２３】
図２に示す電圧設定テーブル７２において、ジョブＡ、Ｂ、Ｃが分類された想定電流量:小は、出力電圧：Ｖｏに設定されている。なお、出力電圧：Ｖｏは、電源回路９に設定された画像処理回路８への通常時の出力電圧である。
【００２４】
図２に示す電圧設定テーブル７２において、ジョブＤが分類された想定電流量:中は、ジョブ開始からＴ（ｍs）まで出力電圧：Ｖｏ＋Ｖｒａに、Ｔ（ｍs）以降、出力電圧：Ｖｏ＋Ｖｕａにそれぞれ設定されている（但し、Ｖｒａ＞Ｖｕａ）。また、ジョブＥが分類された想定電流量:大は、ジョブ開始からＴ（ｍs）まで、出力電圧：Ｖｏ＋Ｖｒｂに、Ｔ（ｍs）以降、出力電圧：Ｖｏ＋Ｖｕｂにそれぞれ設定されている（但し、Ｖｒｂ＞Ｖｕｂ）。
【００２５】
ジョブＤ、Ｅにおいて、ジョブ開始からＴ（ｍs）までの増加分Ｖｒａ、Ｖｒｂは、突入電流による電圧降下を勘案した値である。すなわち、電源回路９から画像処理回路８への電源ラインには、電源ライン（配線）や電源遮断回路１０等の抵抗成分が存在する。従って、画像処理回路８の消費電流（電流量）の増加に伴う突入電流が発生すると、電圧降下も大きくなり、電源回路９からの出力電圧に対し、画像処理回路８への入力電圧が大きく低下してしまう。そこで、本実施の形態では、想定電流量:小から想定電流量:中及び大に増加するジョブＤ、Ｅにおいて、電源回路９から画像処理回路８に出力される出力電圧をジョブ開始の突入電流発生時に同期させて増加させる。これにより、図４に点線で示すように、画像処理回路８の消費電流が変動して突入電流が発生しても、画像処理回路８への入力電圧をほぼ一定に維持することができる。なお、画像処理回路８の消費電流（電流量）の増加量が大きくなるほど、突入電流も大きくなって電圧降下が増加する。従って、ジョブＥ（想定電流量:大）の増加分Ｖｒｂは、ジョブＤ（想定電流量:中）の増加分Ｖｒａよりも大きく設定されている。
【００２６】
ジョブＤ、Ｅにおいて、Ｔ（ｍs）以降の増分Ｖｕａ、Ｖｕｂは、画像処理回路８の消費電流（電流量）の増加による電圧降下を勘案した値である。すなわち、画像処理回路８の消費電流（電流量）が増加すると、電圧降下も大きくなり、電源回路９からの出力電圧に対し、画像処理回路８への入力電圧が大きく低下してしまう。そこで、本実施の形態では、想定電流量:小から想定電流量:中及び大に増加するジョブＤ、Ｅにおいて、電源回路９から画像処理回路８に出力される出力電圧をジョブ実行に同期させて増加させる。これにより、図４に点線で示すように、画像処理回路８の消費電流が変動しても、画像処理回路８への入力電圧をほぼ一定に維持することができる。
なお、画像処理回路８の消費電流（電流量）が大きくなるほど、電圧降下が増加する。従って、ジョブＥ（想定電流量:大）の増加分Ｖｕｂは、ジョブＤ（想定電流量:中）の増加分Ｖｕａよりも大きく設定されている。
【００２７】
電源制御部７１の動作を図３及び図４を参照して詳細に説明する。
ジョブ要求を受け付けると、画像処理回路８は、実行するジョブを種類を通知するジョブ識別信号と、ジョブを開始するジョブ開始タイミングを通知するジョブ開始信号とを電源制御部７１に出力する。
【００２８】
電源制御部７１は、ジョブ識別信号が入力されると、電圧設定テーブル７２を参照することで、ジョブ識別信号によって通知されたジョブの種類に設定されている出力電圧を特定する。そして、電源制御部７１は、ジョブ開始信号によって通知されたジョブ開始タイミングに、電圧設定信号を出力することで、特定した出力電圧の出力を電源回路９に指示する。
【００２９】
図４には、電源回路９から出力される出力電圧が通常のＶｏに設定されている状態で、ジョブ識別信号によってジョブＤが通知され、ジョブ開始信号によってジョブＤの実行開始が時刻ｔ０と通知された際の電圧制御が示されている。電源制御部７１は、ジョブ識別信号によってジョブＤが通知されると、ジョブＤが分類されている想定電流量:中の出力電圧を特定する。
【００３０】
そして、電源制御部７１は、時刻ｔ０に、想定電流量:中に設定された出力電圧：Ｖｏ＋Ｖｒａを電圧設定信号として出力し、出力電圧：Ｖｏ＋Ｖｒａの出力を電源回路９に指示する。これにより、電源回路９は、ジョブ開始時に出力電圧をＶｏ＋Ｖｒａに上昇させ、突入電流によって電圧降下が増加しても、画像処理回路８への入力電圧をほぼ一定に維持することができる。
【００３１】
また、電源制御部７１は、時刻ｔ０からＴ（ｍｓ）経過して時刻ｔ1に、想定電流量:中に設定された出力電圧：Ｖｏ＋Ｖｕａを電圧設定信号として出力し、出力電圧：Ｖｏ＋Ｖｕａの出力を電源回路９に指示する。これにより、電源回路９は、ジョブ実行時に出力電圧をＶｏ＋Ｖｕａにし、消費電流（電流量）によって電圧降下が増加しても、画像処理回路８への入力電圧をほぼ一定に維持することができる。
【００３２】
次に、時刻ｔ2にジョブＤが終了すると、画像処理回路８は、ジョブＤの終了を通知するジョブ終了信号を電源制御部７１に出力する。電源制御部７１は、ジョブ終了信号が入力されると、通常の出力電圧：Ｖｏを電圧設定信号として出力し、出力電圧：Ｖｏの出力を電源回路９に指示する。なお、想定電流量:小の通常の出力電圧：Ｖｏでは、電圧設定信号を出力することなく、想定電流量:中及び大において、増加のみを指示する電圧設定信号を出力するようにしても良い。
【００３３】
（第２の実施の形態）
第２の実施の形態の画像処理装置１ａは、図５を参照すると、第１の実施の形態の画像処理装置１の構成に加え、画像処理回路８への入力電圧を検出する電圧検出回路１１を備えている。また、画像処理装置１ａの制御部７ａは、第１の実施の形態の制御部７の機能に加えて、テーブル補正部７３としても機能する。
【００３４】
テーブル補正部７３には、突入電流発生時の入力電圧と比較する第１下限閾電圧及び第１上限閾電圧と、ジョブ実行時の入力電圧と比較する第２下限閾電圧及び第２上限閾電圧とが設定されている。
【００３５】
テーブル補正部７３は、ジョブＤ、Ｅの実行に際し、ジョブ開始の突入電流発生時に電圧検出回路１１によって検出される画像処理回路８への入力電圧と、第１下限閾電圧及び第１上限閾電圧とを比較する。そして、テーブル補正部７３は、検出された入力電圧が第１下限閾電圧未満の場合には、ジョブ開始からＴ（ｍs）までの増加分Ｖｒａ、Ｖｒｂを大きな値に補正することで、次回以降のジョブＤ、Ｅの開始時に、画像処理回路８への入力電圧が第１下限閾電圧以上になるように制御する。また、テーブル補正部７３は、検出された入力電圧が第１上限閾電圧を上回る場合には、ジョブ開始からＴ（ｍs）までの増加分Ｖｒａ、Ｖｒｂを小さな値に補正することで、次回以降のジョブＤ、Ｅの開始時に、画像処理回路８への入力電圧が第１上限閾電圧以下になるように制御する。
【００３６】
テーブル補正部７３は、ジョブＤ、Ｅの実行に際し、ジョブ実行時に電圧検出回路１１によって検出される画像処理回路８への入力電圧と、第２下限閾電圧及び第２上限閾電圧とを比較する。そして、テーブル補正部７３は、検出された入力電圧が第２下限閾電圧未満の場合には、ジョブ開始からＴ（ｍs）までの増加分Ｖｕａ、Ｖｕｂを大きな値に補正することで、次回以降のジョブＤ、Ｅの実行時に、画像処理回路８への入力電圧が第２下限閾電圧以上になるように制御する。また、テーブル補正部７３は、検出された入力電圧が第２上限閾電圧を上回る場合には、ジョブ開始からＴ（ｍs）までの増加分Ｖｕａ、Ｖｕｂを小さな値に補正することで、次回以降のジョブＤ、Ｅの実行時に、画像処理回路８への入力電圧が第１上限閾電圧以下になるように制御する。
【００３７】
以上説明したように、本実施の形態によれば、画像処理を実行する演算処理回路である画像処理回路８を有し、画像処理回路８において消費電流が異なる複数種類のジョブＡ〜Ｅを実行する画像処理装置１であって、画像処理回路８の電源となる出力電圧を出力する電源回路９と、ジョブに応じた出力電圧が設定された電圧設定テーブル７２と、ジョブの実行時に、電圧設定テーブル７２によって出力電圧を特定し、特定した出力電圧の出力を電源回路９に指示する電源制御部７１とを備えている。
この構成により、画像処理回路８における消費電流が異なるジョブに応じて、電源回路９から画像処理回路８に出力する出力電圧を設定することができ、画像処理回路８における消費電流が変化しても、画像処理回路８への入力電圧の変化を抑制することができる。
【００３８】
さらに、本実施の形態において、電圧設定テーブル７２に設定された出力電圧は、ジョブ実行時の画像処理回路８における消費電流の変化に応じて、電源ラインの抵抗成分に起因する電圧降下が変化しても、画像処理回路８への入力電圧の変化を抑制する値に設定されている。
この構成により、電源ラインの抵抗成分に起因する電圧降下を勘案して、画像処理回路８への入力電圧の変化を抑制することができる。
【００３９】
さらに、本実施の形態において、電源回路９から画像処理回路８への電源供給を遮断する電源遮断回路１０を具備し、電圧設定テーブル７２に設定された出力電圧は、ジョブ実行時の画像処理回路８における消費電流の変化に応じて、電源遮断回路１０の抵抗成分に起因する電圧降下が変化しても、画像処理回路８への入力電圧の変化を抑制する値に設定されている。
この構成により、電源遮断回路１０の抵抗成分に起因する電圧降下を勘案して、画像処理回路８への入力電圧の変化を抑制することができる。
【００４０】
さらに、本実施の形態において、電圧設定テーブル７２には、ジョブ開始時の出力電圧が設定されており、電源制御部７１は、ジョブ開始時に、電圧設定テーブル７２によって出力電圧を特定し、特定した出力電圧の出力を電源回路９に指示する。
この構成により、ジョブ開始時の出力電圧を設定することができ、ジョブ開始時に電流量が変化しても、画像処理回路８への入力電圧の変化を抑制することができる。
【００４１】
さらに、本実施の形態において、電圧設定テーブル７２に設定されたジョブ開始時の出力電圧は、突入電量に起因して電圧降下が変化しても、画像処理回路８への入力電圧の変化を抑制する値に設定されている。
この構成により、突入電流発生時の電圧降下を勘案して、画像処理回路８への入力電圧の変化を抑制することができる。
【００４２】
さらに、本実施の形態において、画像処理回路８への入力電圧を検出する電圧検出回路１１と、ジョブ実行時に電圧検出回路１１によって検出された入力電圧に基づいて、電圧設定テーブル７２に設定された出力電圧を補正するテーブル補正部７３とを備えている。
この構成により、実際の入力電圧に基づいて、電圧設定テーブル７２に設定された出力電圧を適切な値に補正することができる。
【００４３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４４】
１、１ａ  画像処理装置
２  原稿読取部
３  原稿給送部
４  記録部
５  操作部
６  通信部
７、７ａ  制御部
８  画像処理回路
９  電源回路
１０  電源遮断回路
１１  電圧検出回路
１２  記憶部
７１  電源制御部
７２  電圧設定テーブル
７３  テーブル補正部
【図１】
2018075721.tif 000003
【図２】
2018075721.tif 000004
【図３】
2018075721.tif 000005
【図４】
2018075721.tif 000006
【図５】
2018075721.tif 000007
【図６】
2018075721.tif 000008